(57)【特許請求の範囲】
【請求項１】
壁面に固定される据付板と、
前記据付板に取り付けられる背面ケーシング及び前記背面ケーシングに取り付けられる前面ケーシングを有するケーシングと、を備え、
前記背面ケーシングの下端側には、前記据付板に向かって突き出し、前記据付板に係合させる背面フランジ部が設けられ、
前記前面ケーシングは、前記背面フランジ部を覆う底面部を有しており、
前記背面フランジ部と前記前面ケーシングの底面部との間には、前記ケーシングの外部と通じる空間からなる棒材挿入孔が、前面側から背面側に向かって形成され、
前記背面フランジ部には、前記棒材挿入孔を形成した箇所に、前記前面ケーシングの前記底面部に向かって突き出す係合解除突起部が設けられており、
前記ケーシングの外部から前記棒材挿入孔に挿入した棒材を前記係合解除突起部に突き当てて前記背面フランジ部を押し上げることで、係合状態が解除される構成である、空気調和機の室内機。
【請求項２】
前記背面フランジ部には、前記棒材挿入孔を形成した箇所に、前記前面ケーシングの前記底面部に向かって突き出す係合突起部が設けられており、
前記据付板の下端側には、前記係合突起部を嵌め込む係合部を有する据付板フランジ部が設けられており、
前記背面フランジ部は、前記係合突起部を前記係合部に嵌め込んで前記据付板に係合されている、請求項１に記載の空気調和機の室内機。
【請求項３】
前記係合解除突起部は、前記係合突起部よりも前面側に設けられている、請求項２に記載の空気調和機の室内機。
【請求項４】
前記係合解除突起部は、前記ケーシングの前面側から背面側に向かって下方に傾斜する傾斜面を有する形状、又は前記ケーシングの前面側から背面側に向かって湾曲面を有する形状である、請求項１〜３のいずれか一項に記載の空気調和機の室内機。
【請求項５】
前記前面ケーシングには、前記棒材挿入孔の入口となる挿入開口部が、前記前面ケーシングと前記背面ケーシングとを接合するための接合部材を通す接合孔に隣接して形成されており、
前記挿入開口部と前記接合孔とを共通に覆うカバー材が着脱自在に取り付けられている、請求項１〜４のいずれか一項に記載の空気調和機の室内機。
【発明の詳細な説明】
【技術分野】
【０００１】
本発明は、空気調和機の室内機に関するものである。
【背景技術】
【０００２】
従来、空気調和機の室内機では、熱交換器、送風ファン、及び電気品箱等を内部に収納したケーシングを、室内の壁面に固定された据付板に取り付けた構成が知られている。【０００３】
例えば特許文献１の空気調和機は、室内機のケーシングの背面を、据付板へ取り付ける構造を開示したものである。具体的には、ケーシングは、背面側の上部に設けられ、据付板へ係合させる係合部と、下部に設けられた板部とが一体成形されている。板部の上面には、据付板に形成した穴に係止する係止爪が設けられている。ケーシングは、係合部を据付板の上端に係合させ、係止爪を据付板の穴に係止させて、据付板に取り付けられている。ケーシングを据付板から取り外すには、ケーシングの前面側に形成した穴から斜めに差し込んだドライバーの先端で、据付板の穴に係止した係止爪の係止状態を解除することにより行われる。
【先行技術文献】
【特許文献】
【０００４】
【特許文献１】特開昭６１−７０３２８号公報
【発明の概要】
【発明が解決しようとする課題】
【０００５】
特許文献１に開示された空気調和機では、ケーシングの下面を構成する板部の上面に、係止爪を設けた構成である。係止爪と据付板との接合強度を高めるためには、係止爪を厚く形成する必要がある。しかし、係止爪を厚く形成することで板部の下面にヒケが発生する虞がある。このヒケが外側から見えると見栄えが悪くなり、全体として意匠性を損なう問題がある。また、ケーシングを据付板から取り外す場合、ケーシングの内部が見えない状態で、ドライバーの軸部を斜めに差し込み、しっかりと係止させた係止爪を据付板の穴から取り外しながら、ケーシングを手前上方に持ち上げて係止状態を解除する作業が必要である。そのため、ケーシングを据付板から取り外す作業が至難である。【０００６】
本発明は、上記のような課題を解決するためになされたものであり、据付板との接合強度を高めることによって発生するヒケが外側から視認されることがなく、意匠性に優れた外観を呈することができ、かつケーシングを据付板から容易に取り外すことができる空気調和機の室内機を提供することを目的とする。
【課題を解決するための手段】
【０００７】
本発明に係る空気調和機の室内機は、壁面に固定される据付板と、前記据付板に取り付けられる背面ケーシング及び前記背面ケーシングに取り付けられる前面ケーシングを有するケーシングと、を備え、前記背面ケーシングの下端側には、前記据付板に向かって突き出し、前記据付板に係合させる背面フランジ部が設けられ、前記前面ケーシングは、前記背面フランジ部を覆う底面部を有しており、前記背面フランジ部と前記前面ケーシングの底面部との間には、前記ケーシングの外部と通じる空間からなる棒材挿入孔が、前面側から背面側に向かって形成され、前記背面フランジ部には、前記棒材挿入孔を形成した箇所に、前記前面ケーシングの前記底面部に向かって突き出す係合解除突起部が設けられており、前記ケーシングの外部から前記棒材挿入孔に挿入した棒材を前記係合解除突起部に突き当てて前記背面フランジ部を押し上げることで、係合状態が解除されるものである。
【発明の効果】
【０００８】
本発明に係る空気調和機に室内機によれば、据付板との接合強度を高めたことによって背面フランジ部にヒケが発生しても、前面ケーシングの底面部で背面フランジ部を覆っているので、ヒケが外側から視認されることがなく、意匠性に優れた外観を呈することができる。また、本発明に係る空気調和機に室内機では、例えばドライバー等の棒材を棒材挿入孔へ挿入して係合解除突起部に突き当てるだけで、背面フランジ部と据付板との係合状態を容易に解除できるので、取り外し作業の作業性の向上を図ることができる。
【図面の簡単な説明】
【０００９】
【図１】本発明の実施の形態に係る空気調和機の室内機の斜視図である。
【図２】本発明の実施の形態に係る空気調和機の室内機の内部構造を示した断面図である。
【図３】本発明の実施の形態に係る空気調和機の室内機であって、前面ケーシングと背面ケーシングの接合状態を示した要部拡大断面図である。
【図４】図２のＡ部拡大図である。
【図５】図２のＢ部拡大図である。
【図６】カバー材を前面ケーシングから取り外した状態を示した図１のＣ部拡大図である。
【図７】本発明の実施の形態に係る空気調和機の室内機であって、係合解除突起部の異なる形態を示した図２のＢ部拡大図である。
【図８】本発明の実施の形態に係る空気調和機の室内機であって、ケーシングを据付板から取り外す要領を示した説明図である。
【図９】本発明の実施の形態に係る空気調和機の室内機であって、ケーシングを据付板から取り外す要領を示した説明図である。
【発明を実施するための形態】
【００１０】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】
実施の形態．
図１は、本発明の実施の形態に係る空気調和機の室内機の斜視図である。図２は、本発明の実施の形態に係る空気調和機の室内機の内部構造を示した断面図である。図３は、本発明の実施の形態に係る空気調和機の室内機であって、前面ケーシングと背面ケーシングの接合状態を示した要部拡大断面図である。
【００１２】
本実施の形態に係る空気調和機の室内機１００は、例えば部屋の壁等に取り付けられて、室内の空調を行うものである。室内機１００は、図１及び図２に示すように、壁面１５に固定される据付板４と、据付板４に取り付けられる背面ケーシング２及び背面ケーシング２に取り付けられる前面ケーシング３を有する略箱状に構成されたケーシング１と、を備えている。
【００１３】
前面ケーシング３と背面ケーシング２は、図３に示すように、ネジ孔からなる接合孔５０、５１が共通する位置に形成されており、そのネジ孔にネジ込んだネジ部材からなる接合部材１４によって接合されている。接合孔５０は、前面ケーシング３を内方に凹ませた凹部３３に形成されている。接合孔５０は、例えば室内機１００の長手方向に間隔をあけて２つに形成されている。また、接合孔５０は、外側から見えないように凹部３３に嵌め込んだ意匠用のカバー材５によって覆われている。なお、接合孔５０、５１の位置及び個数は、ケーシング１の大きさ、形状等に応じて適宜変更して設けるものとする。
【００１４】
前面ケーシング３の上面には、図２に示すように、室内空気の入り口となる吸込口１０が形成されている。また、前面ケーシング３の下部には、図２に示すように、左右方向に延びる吹出口１１が設けられている。吹出口１１には、図１及び図２に示すように、吹き出し風の上下方向の風向を制御する風向上下変更板１３が設けられている。なお、前面ケーシング３には、開閉可能な意匠パネル１２が取り付けられている。
【００１５】
ケーシング１の内部には、図２に示すように、熱交換器６、送風ファン７、及び電気品箱等（図示は省略）が収納されている。なお、室内機１００は、図示省略の室外機と冷媒配管で接続されて冷凍サイクルを構成する。
【００１６】
熱交換器６は、冷房運転時において、蒸発器として機能して空気を冷却し、暖房運転時において、凝縮器（放熱器）として機能して空気を加温するものである。熱交換器６は、背面ケーシング２に装着されており、吸込口１０から吹出口１１までの風路であって、送風ファン７の上流側に配設されている。図示した熱交換器６は、前面側で下部寄りに配置された第１熱交換器６０と、前面側の上部から天面にかけて配置された第２熱交換器６１とで構成されている。但し、熱交換器６の構成や、配置の形態は、図示した形態に限定されない。なお、熱交換器６は、たとえば冷媒配管を流れる冷媒とフィンを通過する空気との間で熱交換ができるようなプレートフィンアンドチューブ型熱交換器で構成するとよい。
【００１７】
熱交換器６の下側には、熱交換器６の表面に着露した水滴を受けるドレンパン８が設けられている。ドレンパン８に集められた着露水は、図示省略の排水機構によって室外へ導かれる。
【００１８】
送風ファン７は、吸込口１０から室内空気を吸い込み、吹出口１１から空調空気を吹き出すものである。送風ファン７は、背面ケーシング２に装着されており、吸込口１０から吹出口１１までの風路であって、熱交換器６の下流側に配設されている。なお、送風ファン７は、たとえばクロスフローファンで構成するとよい。
【００１９】
電気品箱は、室内機１００を制御する制御装置等が収納されており、背面ケーシング２に装着されている。制御装置は、例えばマイクロプロセッサユニット等で構成される。
【００２０】
次に、図１〜図３を参照しつつ、図４〜図９に基づいて壁面１５に固定された据付板４にケーシング１を取り付ける構造について詳細に説明する。図４は、図２のＡ部拡大図である。図５は、図２のＢ部拡大図である。図６は、カバー材を前面ケーシングから取り外した状態を示した図１のＣ部拡大図である。図７は、本発明の実施の形態に係る空気調和機の室内機であって、係合解除突起部の異なる形態を示した図２のＢ部拡大図である。なお、以下に、室内機１００の右側部分の構造を例に説明するが、左側部分も同様の構造を有するものとする。
【００２１】
据付板４は、ほぼ矩形状の金属板で構成されており、室内の壁面１５にネジ、ボルト或いは釘等の固定部材で固定される。据付板４の上端縁には、図４に示すように、背面ケーシング２に向かってＬ字状に屈曲させた係止部４１が、室内機１００の長手方向に沿って設けられている。また、据付板４の下端縁には、図５に示すように、背面ケーシング２に向かって屈曲させた据付板フランジ部４０が設けられている。据付板フランジ部４０には、係合部４２として孔が形成されている。係合部４２は、一例として室内機１００の長手方向に間隔をあけて２つ形成されている。なお、係合部４２は、孔に限定されず例えば溝状であってもよい。また、係合部４２は、１個以上形成されていればよい。
【００２２】
背面ケーシング２の上端縁には、図４に示すように、据付板４の上端縁に設けた係止部４１へ掛け留めるフック部２１が形成されている。また、背面ケーシング２の下端縁には、図５に示すように、据付板４に向かって突き出し、据付板４に係合させる背面フランジ部２０が設けられている。背面フランジ部２０の下面には、係合部４２に嵌め込まれる係合突起部２２が、一例として室内機１００の長手方向に間隔をあけて２個設けられている。背面フランジ部２０は、係合突起部２２を係合部４２に嵌め込んで据付板４に係合されている。なお、係合突起部２２は、係合部４２の個数に対応して設けるものとする。
【００２３】
背面ケーシング２を据付板４に取り付ける作業は、ケーシング１を斜めに傾けて、フック部２１を据付板４の係止部４１へ掛け留めた状態で、該係止部４１を支点としてケーシング１を回動させながら、背面フランジ部２０を据付板フランジ部４０の上面に配置し、係合突起部２２を係合部４２へ嵌め込むことにより行われる。
【００２４】
なお、詳細に図示することは省略したが、係合突起部２２は、背面フランジ部２０の上面に設けてもよい。この場合では、背面フランジ部２０を据付板フランジ部４０の下面に配置し、係合突起部２２を係合部４２へ嵌め込むことで、背面ケーシング２が据付板４に取り付けられる。
【００２５】
前面ケーシング３は、図２及び図５に示すように、背面フランジ部２０を覆う底面部３０を有している。つまり、空気調和機の室内機１００は、据付板４との接合強度を高めるために係合突起部２２を厚く形成し、背面フランジ部２０にヒケが発生することがあっても、前面ケーシング３の底面部３０で背面フランジ部２０を覆っているので、ヒケが外側から視認されることがなく、意匠性に優れた外観を呈することができる。
【００２６】
背面フランジ部２０と前面ケーシング３の底面部３０との間には、ケーシング１の外部と通じる空間からなる棒材挿入孔３１が、前面側から背面側に向かって形成されている。棒材挿入孔３１の孔径は、例えばドライバー等の軸部を通すことができる程度の寸法であり、５ｍｍ〜１０ｍｍ程度とする。
【００２７】
前面ケーシング３には、図６に示すように、棒材挿入孔３１の入口となる挿入開口部３２が形成されている。挿入開口部３２は、前面ケーシング３の前面側を内方に凹ませた凹部３３において、接合孔５０に隣接して形成されている。挿入開口部３２と接合孔５０との間隔は、接合部材１４であるネジ部材のネジボスが挿入開口部３２に掛からない程度の寸法であり、例えば１２ｍｍ程度である。なお、挿入開口部３２は、棒材挿入孔３１の孔径と略同径である。
【００２８】
そして、前面ケーシング３には、挿入開口部３２と接合孔５０とを共通に覆うカバー材５が着脱自在に取り付けられている。カバー材５は、前面ケーシング３と同じ材質であり、例えば合成樹脂製である。つまり、挿入開口部３２と接合孔５０とが外側から視認できないようにカバー材５で覆うことで、意匠性を高めることができる。また、１つのカバー材５で挿入開口部３２と接合孔５０とを共通に覆うことで、部材点数が少なくて済み、製造コストを削減することができる。なお、カバー材５は、棒材挿入孔３１へ棒材９を挿入する際に、前面ケーシング３から取り外される。
【００２９】
なお、挿入開口部３２と接合孔５０は、必ずしも隣接して設ける必要はなく、離れた位置に形成してもよい。この場合、挿入開口部３２と接合孔５０のそれぞれに、カバー材を設けて外側から視認できないようにすることが望ましい。
【００３０】
また、背面フランジ部２０には、棒材挿入孔３１を形成した箇所に、前面ケーシング３の底面部３０に向かって突き出す係合解除突起部２３が設けられている。この係合解除突起部２３は、棒材挿入孔３１を形成した箇所に設けた係合突起部２２よりも前面側であって、該係合突起部２２よりも底面部３０に出っ張るように設けられている。
【００３１】
係合解除突起部２３は、図５に示すように、ケーシング１の前面側から背面側に向かって下方に傾斜する傾斜面を有する形状で構成されている。なお、係合解除突起部２３は、図７に示すように、ケーシング１の前面側から背面側に向かって湾曲面を有する形状とした構成でもよい。図７に示した係合解除突起部２３は、全面を湾曲面とした形状であるが、ケーシング１の前面側のみ湾曲面とした形状でもよい。
【００３２】
次に、図６を参照しながら、図８及び図９に基づいて、ケーシング１を据付板４から取り外す要領について説明する。図８及び図９は、本発明の実施の形態に係る空気調和機の室内機であって、ケーシングを据付板から取り外す要領を示した説明図である。
【００３３】
先ず、図６に示すように、カバー材５を前面ケーシング３から取り外して、挿入開口部３２を露出させる。そして、図８に示すように、棒材９であるドライバー等の軸部を、挿入開口部３２から棒材挿入孔３１へ略水平方向に挿入する。すると、図９に示すように、棒材９の先端が、係合解除突起部２３に突き当たり、係合解除突起部２３の傾斜面に沿って係合解除突起部２３の下方に誘導される。そのまま、棒材９を押し込むと、水平方向に押し込む力が上方と斜め下方に分散されて、係合解除突起部２３が上方に押し上げられる。係合突起部２２は、係合解除突起部２３とともに背面フランジ部２０に設けているので、係合解除突起部２３が上方へ押し上げられることに連動して、係合突起部２２も上方へ押し上げられて係合部４２から外れ、係合状態が解除される。なお、係合解除突起部２３は、できるだけ係合突起部２２に近づけた位置に設けることが望ましい。係合突起部２２が係合部４２から外れやすくなり、作業性を高めることができる。
【００３４】
背面フランジ部２０と据付板４との係合状態が解除された後、係止部４１を支点として、ケーシング１を前面側へ回動させ、フック部２１を係止部４１から外すことでケーシング１を据付板４から取り外すことができる。なお、係合状態が解除されると同時に、フック部２１が係止部４１から外れると、ケーシング１が据付板４から外れて非常に危険である。そのため、係合状態が解除された状態であっても、フック部２１が係止部４１に係止していることが必要である。
【００３５】
なお、本実施の形態に係る空気調和機の室内機１００では、棒材挿入孔３１へ棒材９を略水平方向に挿入するだけで、背面フランジ部２０と据付板４の係合状態を容易に解除することができるので、例えば室内機１００の下方にカーテンレール又は長押等があっても、該カーテンレール又は長押等の存在に関係なく、係合状態を解除することができる。
【００３６】
上述したように、本実施の形態の空気調和機に室内機１００によれば、壁面１５に固定される据付板４と、据付板４に取り付けられる背面ケーシング２及び背面ケーシング２に取り付けられる前面ケーシング３を有するケーシング１と、を備えている。背面ケーシング２の一端側には、据付板４に向かって突き出し、据付板４に係合させる背面フランジ部２０が設けられている。そして、前面ケーシング３は、背面フランジ部２０を覆う底面部３０を有している。よって、この空気調和機の室内機１００は、前面ケーシング３の底面部３０で背面フランジ部２０を覆っているので、据付板４との接合強度を高めたことによって背面フランジ部２０にヒケが発生しても、ヒケが外側から視認されることがなく、意匠性に優れた外観を呈することができる。また、前面ケーシング３の底面部３０と、背面ケーシング２の背面フランジ部２０とを突き合わせることにより生じる分割ラインが形成されることもないから、意匠性の向上を図ることができる。
【００３７】
また、背面フランジ部２０と前面ケーシング３の底面部３０との間には、ケーシング１の外部と通じる空間からなる棒材挿入孔３１が、前面側から背面側に向かって形成されている。背面フランジ部２０には、棒材挿入孔３１を形成した箇所に、前面ケーシング３の底面部３０に向かって突き出す係合解除突起部２３が設けられている。つまり、ケーシング１の外部から棒材挿入孔３１に挿入した棒材９を係合解除突起部２３に突き当てて背面フランジ部２０を押し上げることで、係合状態が解除される構成である。よって、空気調和機に室内機１００は、例えばドライバー等の軸部を棒材挿入孔３１へ挿入して係合解除突起部２３に突き当てるだけで、背面フランジ部２０と据付板４の係合状態を容易に解除できるので、誰でも簡単にケーシング１を据付板４から取り外すことができ、取り外し作業の作業性の向上を図ることができる。つまり、室内機１００の移設、廃却、及びメンテナンス時における作業効率を高めることができる。
【００３８】
また、背面フランジ部２０には、棒材挿入孔３１を形成した箇所に、前面ケーシング３の底面部３０に向かって突き出す係合突起部２２が設けられている。据付板４の一端側には、係合突起部２２を嵌め込む係合部４２を有する据付板フランジ部４０が設けられている。つまり、空気調和機の室内機１００は、係合突起部２２を係合部４２に嵌め込んで背面フランジ部２０が据付板４に係合される簡易でシンプルな構成なので、ケーシング１を据付板４へ取り付ける作業及び取り外す作業の作業性の向上を図ることができる。
【００３９】
また、係合解除突起部２３は、係合突起部２２よりも前面側に設けられている。よって、棒材挿入孔３１に挿入した棒材９の先端を、係合解除突起部２３に確実に突き当てることができる。
【００４０】
また、係合解除突起部２３は、ケーシング１の前面側から背面側に向かって下方に傾斜する傾斜面を有する形状、又はケーシング１の前面側から背面側に向かって湾曲面を有する形状である。つまり、棒材挿入孔３１に挿入した棒材９の先端が、係合解除突起部２３に突き当たり、係合解除突起部２３の傾斜面又は湾曲面に沿って係合解除突起部２３の下方に誘導され、水平方向に押し込む力が上方と斜め下方に分散されて、係合解除突起部２３を上方に押し上げることができる。よって、空気調和機の室内機１００は、棒材挿入孔３１へ挿入した棒材９を押し進める作業がらくになるので、小さい力でも係合突起部２２の係合状態を容易に解除することができ、ケーシング１を据付板４から取り外す作業の作業性の向上を図ることができる。
【００４１】
また、前面ケーシング３には、棒材挿入孔３１の入口となる挿入開口部３２が、前面ケーシング３と背面ケーシング２とを接合するための接合部材１４を通す接合孔５０に隣接して形成されており、挿入開口部３２と接合孔５０とを共通に覆うカバー材５が着脱自在に取り付けられている。よって、空気調和機の室内機１００は、挿入開口部３２と接合孔５０とが外側から視認できないようにカバー材５で覆われているので、意匠性を高めることができると共に、１つのカバー材５で挿入開口部３２と接合孔５０とを共通に覆うので、部材点数が少なくて済み、製造コストを削減することができる。
【００４２】
以上に本発明を実施の形態に基づいて説明したが、本発明は上述した実施の形態の構成に限定されるものではない。例えば、図示した室内機１００の内部構成は、一例であって、上述した内容に限定されるものではなく、他の構成要素を含んだ室内機であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００４３】
１  ケーシング、２  背面ケーシング、３  前面ケーシング、４  据付板、５  カバー材、６  熱交換器、７  送風ファン、８  ドレンパン、９  棒材、１０  吸込口、１１  吹出口、１２  意匠パネル、１３  風向上下変更板、１４  接合部材、１５  壁面、２０  背面フランジ部、２１  フック部、２２  係合突起部、２３  係合解除突起部、３０  底面部、３１  棒材挿入孔、３２  挿入開口部、３３  凹部、４０  据付板フランジ部、４１  係止部、４２  係合部、５０、５１  接合孔、６０  第１熱交換器、６１  第２熱交換器、１００  室内機。
【図１】
0006727411.tif 000002
【図２】
0006727411.tif 000003
【図３】
0006727411.tif 000004
【図４】
0006727411.tif 000005
【図５】
0006727411.tif 000006
【図６】
0006727411.tif 000007
【図７】
0006727411.tif 000008
【図８】
0006727411.tif 000009
【図９】
0006727411.tif 000010